(57)【要約】【課題】嵩張ることなく、センサー本体と前板を別々に現場に搬送することができ、現場でセンサー本体を前板に簡単に取り付けできるセンサー取付構造を提供する。【解決手段】便器ユニットの前板の裏面にセンサーを取り付ける構造であって、前板の所定位置に開口されたセンサー窓５ａの裏面に固設された被取付部材１１と、この被取付部材１１に対し着脱可能に固定できるセンサー本体に固設された取付部材１２で構成され、被取付部材１１の厚み寸法は前板の厚さ以下に設定され、被取付部材１１は、下方へ延びる溝１１ｃを有し、取付部材１２は、ネジ孔に通した固定ネジ１３を有し、固定ネジ１３が溝１１ｃに落とし込まれることで、センサー本体がセンサー窓５ａに位置決め固定されるように構成する。【選択図】図１０
2007270588.tif 000002
【特許請求の範囲】
【請求項１】
内部に給排水管を備えた配管収納部と、該配管収納部の前面に備えられた便器とからなる便器ユニットにおいて、前記配管収納部の前板裏面にセンサーを取り付ける構造であって、
前記前板の所定位置に開口されたセンサー窓の裏面に固設された被取付部材と、該被取付部材に対し着脱可能に固定できるセンサー本体に固設された取付部材で構成され、
前記被取付部材の厚み寸法は前記前板の厚さ以下に設定されていることを特徴とする便器ユニットのセンサー取付構造。
【請求項２】
前記被取付部材は、左右両側に被取付部を有し、
該被取付部は、下方へ延びる溝を有し、
前記取付部材は、貫通孔に通した固定部材を有し、
該固定部材が前記溝に落とし込まれることで、前記センサー本体が前記前板のセンサー窓に対して位置決め固定されることを特徴とする請求項１に記載の便器ユニットのセンサー取付構造。
【請求項３】
前記固定部材は固定ネジであり、前記貫通孔はネジ孔であることを特徴とする請求項２に記載の便器ユニットのセンサー取付構造。
【発明の詳細な説明】
【技術分野】
【０００１】
本発明は、便器ユニットにセンサーを取り付ける取付構造に関するものである。
【背景技術】
【０００２】
従来、特許文献１に開示されているように、便器ユニットの前板の裏面に取付ベースを設けて、センサー感知窓の下辺部にセンサーを支持するように固定する構造が存在する。
【特許文献１】特開平７−２１６９６９号公報
【発明の開示】
【発明が解決しようとする課題】
【０００３】
上記特許文献１に開示されている構造では、現場で前板に取付ベースをネジで固定する必要があり、センサーの取り付け、及び位置決めが面倒であり、また、メンテナンス時等に容易にセンサーを取り外すことができないという問題点があった。
【課題を解決するための手段】
【０００４】
本発明は上記従来の問題点に鑑み案出したものであって、センサーの位置決め固定が容易であり、また、メンテナンス時等における着脱も容易となる便器ユニットのセンサー取付構造を提供することを目的とし、その請求項１は、内部に給排水管を備えた配管収納部と、該配管収納部の前面に備えられた便器とからなる便器ユニットにおいて、前記配管収納部の前板裏面にセンサーを取り付ける構造であって、前記前板の所定位置に開口されたセンサー窓の裏面に固設された被取付部材と、該被取付部材に対し着脱可能に固定できるセンサー本体に固設された取付部材で構成され、前記被取付部材の厚み寸法は前記前板の厚さ以下に設定されていることである。
【０００５】
また、請求項２は、前記被取付部材は、左右両側に被取付部を有し、該被取付部は、下方へ延びる溝を有し、前記取付部材は、貫通孔に通した固定部材を有し、該固定部材が前記溝に落とし込まれることで、前記センサー本体が前記前板のセンサー窓に対して位置決め固定されることである。
【０００６】
また、請求項３は、前記固定部材は固定ネジであり、前記貫通孔はネジ孔であることである。
【発明の効果】
【０００７】
本発明は、内部に給排水管を備えた配管収納部と、該配管収納部の前面に備えられた便器とからなる便器ユニットにおいて、前記配管収納部の前板裏面にセンサーを取り付ける構造であって、前記前板の所定位置に開口されたセンサー窓の裏面に固設された被取付部材と、該被取付部材に対し着脱可能に固定できるセンサー本体に固設された取付部材で構成され、前記被取付部材の厚み寸法は前記前板の厚さ以下に設定されていることにより、前板に被取付部材を取付固定させても前板は嵩張ることなく、積み重ねて複数枚を搬送することができ、センサー本体と前板を別々にして現場へ搬送することができ、施工現場で、前板に固定されている被取付部材に対し、センサー本体に固設された取付部材を取り付けて、容易に前板にセンサーを位置決めして取り付けでき、施工が容易であり、また、センサーの洗浄モード等の調整の際には、センサー本体を前板から簡単に取り外すことができるものとなる。
【０００８】
また、前記被取付部材は、左右両側に被取付部を有し、該被取付部は、下方へ延びる溝を有し、前記取付部材は、貫通孔に通した固定部材を有し、該固定部材が前記溝に落とし込まれることで、前記センサー本体が前記前板のセンサー窓に対して位置決め固定されるため、固定部材が被取付部材の溝に落とし込まれると、センサーが所定位置に良好に位置決めされ、位置決めが簡単に精度良く行なえて、誤感知のリスクが抑えられる。また、センサーの位置決めが確実なため、センサー窓を小型化することができ、さらに、固定部材を抜き取ることなくセンサー本体の取り外しが可能なため、固定部材を紛失する心配もなく、メンテナンス性が良好なものとなる。
【０００９】
また、前記固定部材は固定ネジであり、前記貫通孔はネジ孔であることにより、固定ネジで締め付けたり、緩めたりでき、センサーの着脱作業を容易に行なうことができるものとなる。
【実施例】
【００１０】
以下、本発明の実施例を図面に基づいて説明する。
図１は、便器ユニットの正面構成図であり、図２は、便器ユニットの平面構成図である。
便器ユニット１は、二連式にそれぞれ前板２，２の前面に小便器３，３が設置され、上面にはカウンター４が取り付けられて、前板２，２とカウンター４で囲まれた配管収納部が形成され、この配管収納部の内部に図示しない給排水管が配置されるものであり、カウンター４の下方の小便器３の上方における前板２には、センサー窓５が開口形成されている。
なお、小便器３内の上部部位にはスプレッダー３ａが設けられており、センサー窓５の裏側に取り付けられる人体検知用の赤外線センサーにより、図示しないフラッシュバルブの洗浄水供給が制御されて、赤外線センサーが人体を検知するとスプレッダー３ａから小便器３内に洗浄水が流出されるように構成されている。
【００１１】
なお、図２に示すように、カウンター４は例えば人造大理石で形成され、小便器３，３の上方部位では、前方側へ湾曲状に庇部４ａ，４ａが一体形成されており、この庇部４ａにより下方のセンサー窓５を斜め上方の使用者の目から見にくくして、上方からセンサー窓５が隠されるように構成されている。
また、この庇部４ａ上には物が置きやすくなり、使用勝手が良好なものとなる。
【００１２】
なお、図３は、前板２のセンサー窓５の裏側にセンサー本体６を設置した状態の側面断面構成図である。
また図４は、カウンター４の固定構造を示すものであり、カウンター４の後部下面側に予め取付板７を固定させ、この取付板７の下面に引っ掛け金具８をビス等で固定させておき、一方、設置するトイレの壁面Ｗにはビス１０でＬ字金具９を予め取り付けておき、カウンター４を取り付ける際には、カウンター４を前方側から壁面Ｗ側へ水平に移動させてＬ字金具９に引っ掛け金具８を連結させて固定することができる。即ち、引っ掛け金具８のフック片８ａを、Ｌ字金具９の水平突片９ａの下方側へ差し込んでゆき、水平突片９ａが取付板７と引っ掛け金具８のフック片８ａ間に挟み込まれた状態となるようにする。
この状態では、カウンター４の庇部４ａに下方側から持ち上げ力が掛かってもカウンター４は外れることがなく、また逆に、庇部４ａの上方から押圧力が加わった場合にも、カウンター４の後端側が浮き上がることがなく、良好にカウンター４が着脱可能に固定されるものである。
【００１３】
なお、図３に示すように、センサー窓５は、庇部４ａの下方の前板２の所定位置に開口されたものであり、その裏側に取り付けられるセンサー本体６から発光される赤外線が、庇部４ａの下面に当たることなく、また小便器３の上面に当たることのない上感知領域Ｐ１から下感知領域Ｐ２の範囲で照射されるように、センサー窓５の位置が設定されている。
【００１４】
なお、カウンター４を取り付ける前に、前板２には現場でセンサー本体６が取り付けられるものであるが、現場まではセンサー本体６は前板２とは別々の状態で搬送され、図５に分解図で示すように、予め前板２には被取付部材１１が取付固定され、また、センサー本体６には取付部材１２が取付固定された状態で、別々に現場に搬送されるものである。
【００１５】
なお、図５に示すように、前板２は、表面側の化粧板２ａの裏側に石膏ボード２ｂが貼り付けられて構成されており、被取付部材１１は、石膏ボード２ｂの上方の化粧板２ａの裏側に取付固定されるものであるが、この被取付部材１１の厚み寸法ｂは、石膏ボード２ｂの厚み寸法ａ以下になるように設定されており、被取付部材１１が前板２の後方側へ突出することがなく、被取付部材１１を取り付けた状態でも前板２は複数枚積み重ねて、嵩張ることなく良好に現場に搬送することができるように設定されている。
【００１６】
なお、図６は、前板２のセンサー窓５の裏側に固定された被取付部材１１に対し、センサー本体６に予め取付固定された取付部材１２を係合させて、前板２の裏側にセンサー本体６を設置した状態の概略縦断面構成図である。なお、図６に示すように、前板２のセンサー窓５の前面には透光板１９が覆設されるものである。
【００１７】
被取付部材１１は、図７の斜視図で示すような構造となっており、平板状の固定片１１ａの左右両端側に裏側へ９０度折り曲げて被取付部である折曲片１１ｂ，１１ｂが形成されており、この左右両端の折曲片１１ｂの上部部位には、側面側から貫通して縦方向に縦溝１１ｃが形成されており、縦溝１１ｃの上部は、折曲片１１ｂの後端で開口された開口１１ｄとなっている。また、固定片１１ａには前板２のセンサー窓５と整合するセンサー用開口５ａが貫通形成されている。
従って、この被取付部材１１は、前板２のセンサー窓５の裏側にセンサー用開口５ａを位置合わせして、固定片１１ａが貼着等の手段により予め前板２に取付固定されて現場へ搬送されるものである。
【００１８】
一方、センサー本体６側に予め取付固定される取付部材１２は、図８の斜視図で示すような構造となっている。
取付部材１２は、被取付部材１１の固定片１１ａの裏側に当接する左右の当接片１２ａ，１２ａの上端が連結片１２ｂで連結されており、左右の当接片１２ａ，１２ａの側端縁には裏側へ９０度折り曲げて折曲片１２ｃ，１２ｃが形成されており、この左右の折曲片１２ｃには、それぞれ側面側からネジ孔(貫通孔)１２ｄが形成され、このネジ孔(貫通孔)１２ｄには、外側から固定部材である固定ネジ１３を取り付けできるように構成されている。
固定ネジ１３は、ネジ孔１２ｄ内にねじ込まれるネジ部１３ａと、指で操作することのできる手締め部１３ｂで構成されている。
【００１９】
また、取付部材１２の連結片１２ｂの上端には、後方側へ略水平に折り曲げて上支持片１２ｅ，１２ｅが一対形成されており、それぞれの上支持片１２ｅの後端で下方側へ折り曲げて垂下片１２ｆ，１２ｆが形成され、それぞれの垂下片１２ｆにはネジ孔１２ｇ，１２ｇが形成されている。
また、この上支持片１２ｅと対向して当接片１２ａの下端には、後方側へ折り曲げて下支持片１２ｈ，１２ｈが一対形成されており、各下支持片１２ｈの後端で上方へ立ち上がる立上片１２ｉ，１２ｉが形成され、各立上片１２ｉ，１２ｉには、それぞれネジ孔１２ｊ，１２ｊが形成されている。
【００２０】
このような取付部材１２は、図９に示すように、センサー本体６の前面に取付固定されるものであり、センサー本体６の上部および下部の左右側面には、ネジ通し片６ｂ，６ｂがそれぞれ前後一対形成されており、このネジ通し片６ｂ，６ｂに対し後方側から取付ネジ１４を通し、取付ネジ１４をネジ孔１２ｇにねじ込み、また下方側のネジ孔１２ｊに対しても後方側から取付ネジ１４を締め付けて、４本の取付ネジ１４，１４，１４，１４でセンサー本体６に強固に取付部材１２を取付固定させておくことができ、さらに、取付部材１２の左右のネジ孔１２ｄ，１２ｄには、それぞれ予め固定ネジ１３，１３を取り付けて、センサー本体６に取付部材１２を取付固定した状態で現場に搬送されるものである。
なお、図９において、センサー本体６の前面には感知部６ａの側方に赤外線の発光部６ｃが形成されている。
【００２１】
なお、図１０には、取付部材１２を被取付部材１１に取り付けた状態の、センサー本体６を省略した斜視図を示す。
図１０に示すように、現場において、前板２側に固定されている被取付部材１１に対して、取付部材１２の折曲片１２ｃを折曲片１１ｂの内側に差し込んで、左右の開口１１ｄ，１１ｄに裏側から固定ネジ１３のネジ部１３ａを差し込み、この状態で、固定ネジ１３のネジ部１３ａを縦溝１１ｃに沿って下方側へ落とし込み、固定ネジ１３のネジ部１３ａを縦溝１１ｃの下端に当接させて位置決めすることができ、この状態では、センサー本体６の感知部６ａが、前板２のセンサー窓５及び被取付部材１１のセンサー用開口５ａに良好に位置きめされることとなり、この状態で固定ネジ１３の手締め部１３ｂを手で締め付けて、取付部材１２の折曲片１２ｃを被取付部材１１の折曲片１１ｂに当接させて固定することができるものである。
【００２２】
従って、現場での取付作業は、被取付部材１１の開口１１ｄを通し縦溝１１ｃ内に取付部材１２の固定ネジ１３を落とし込むだけで、所定位置に正確にセンサー本体６を取り付けることができるものである。
また、メンテナンス時等には、固定ネジ１３の手締め部１３ｂを手で回して緩めて、その状態で被取付部材１１に対し取付部材１２を上方へスライドさせて持ち上げて開口１１ｄから後方側へ抜き取ることで、簡単にセンサー本体６を取り外すことができるものであり、着脱が極めて容易であり、取り付け作業及び取り外し作業を極めて良好に行なうことができるものである。
【００２３】
なお、固定ネジ１３は、取付部材１２から取り外すことなく締め付けたり緩めたりして使用することができ、固定ネジ１３を取り外す必要がないため、固定ネジ１３の紛失の心配もなくなるものである。
【００２４】
なお、本例では、小便器３を設置した便器ユニット１におけるセンサー取付構造を例示しているが、図１１に示すような大便器ユニットにおいても同様なセンサー取付構造を採用することができるものである。
即ち、図１１では、キャビネット２０の前面に立設される前板２の前面に大便器２３が設けられ、前板２の上部には手洗器２１が設けられており、その下方側の前板２にセンサー窓５が設けられて、このセンサー窓５の裏側に同様な構造により着脱可能にセンサー本体６が設置されるものである。
なお、この場合は、センサー本体６は、大便器２３上に着座した人体を検知する検知センサーとして作用するものである。
【００２５】
なお、自動洗浄水供給用のフラッシュバルブの駆動を行なわせるためのセンサーに限らず、人体検知用あるいはその他の検知用等のあらゆるセンサーに対しても同様な取付構造を採用して、センサーを極めて容易に着脱できるように構成することができるものである。
【図面の簡単な説明】
【００２６】
【図１】小便器ユニットの正面構成図である。
【図２】小便器ユニットの平面構成図である。
【図３】小便器ユニットのセンサーの取付状態を示す縦断面構成図である。
【図４】カウンターの取付構造を示す要部拡大縦断面構成図である。
【図５】前板側に固定された被取付部材と、センサー本体側に固定された取付部材の分解構成図である。
【図６】前板の裏側にセンサー本体を取り付けた状態の概略縦断面構成図である。
【図７】被取付部材の斜視構成図である。
【図８】取付部材の斜視構成図である。
【図９】取付部材をセンサー本体に取付固定した状態の斜視構成図である。
【図１０】被取付部材に取付部材を取り付けた状態の斜視構成図である。
【図１１】大便器ユニットの斜視構成図である。
【符号の説明】
【００２７】
１  便器ユニット
２  前板
２ａ  化粧板
２ｂ  石膏ボード
３  小便器
３ａ  スプレッダー
４  カウンター
４ａ  庇部
５  センサー窓
５ａ  センサー用開口
６  センサー本体
６ａ  感知部
６ｂ  ネジ通し片
７  取付板
８  引っ掛け金具
８ａ  フック片
９  Ｌ字金具
９ａ  水平突片
１１  被取付部材
１１ａ  固定片
１１ｂ  折曲片
１１ｃ  縦溝
１１ｄ  開口
１２  取付部材
１２ａ  当接片
１２ｃ  折曲片
１２ｄ，１２ｇ，１２ｊ  ネジ孔
１２ｅ  上支持片
１２ｆ  垂下片
１２ｈ  下支持片
１２ｉ  立上片
１４  取付ネジ
１９  透光板
２０  キャビネット
２３  大便器
【図１】
2007270588.tif 000003
【図２】
2007270588.tif 000004
【図３】
2007270588.tif 000005
【図４】
2007270588.tif 000006
【図５】
2007270588.tif 000007
【図６】
2007270588.tif 000008
【図７】
2007270588.tif 000009
【図８】
2007270588.tif 000010
【図９】
2007270588.tif 000011
【図１０】
2007270588.tif 000012
【図１１】
2007270588.tif 000013